(57)【要約】【課題】現場電気設備に設置された保護継電器を、客観的に精度よく試験することができる試験システム及び試験方法を提供する。【解決手段】試験システム１００は、保護継電器試験器１０２と、制御装置１０４と、保護継電器２０２が設置された環境の温度を測定する温度センサ１０６とを含み、保護継電器試験器は、保護継電器に所定の試験信号を供給し、保護継電器から出力される動作信号を取得し、動作信号から動作時間を算出して送信し、制御装置は、動作時間、リレー駆動電圧及び測定温度を受信し、動作時間、リレー駆動電圧及び測定温度から被評価値を算出し、被評価値と所定の基準値とを比較することにより、保護継電器の状態を判定する。これにより、保護継電器の良否を客観的に精度よく判定できる。【選択図】図１
2020051901.tif 000002
【特許請求の範囲】
【請求項１】
保護継電器試験器と、
前記保護継電器試験器と通信する制御装置と、
試験対象である保護継電器が設置された環境の温度を測定する温度センサとを含み、
前記保護継電器試験器は、
前記制御装置による制御を受けて、前記保護継電器に所定の試験信号を供給する出力手段と、
前記試験信号の供給による前記保護継電器の動作に伴い、前記保護継電器から出力される動作信号を取得する入力手段と、
前記動作信号から、前記保護継電器の動作時間を算出する演算手段と、
前記動作時間を前記制御装置に送信する通信手段とを有し、
前記制御装置は、
前記動作時間、前記温度センサによる測定温度、及び、前記保護継電器への電源供給により生じるリレー駆動電圧を受信する受信手段と、
前記動作時間、前記リレー駆動電圧及び前記測定温度から被評価値を算出し、前記被評価値と所定の基準値とを比較することにより、前記保護継電器の状態を判定する判定手段とを有することを特徴とする、試験システム。
【請求項２】
前記基準値は、正常に動作する保護継電器の試験結果である動作時間及びリレー駆動電圧、並びに、当該保護継電器が設置された環境の測定温度を含むサンプルの集合から決定されたマハラノビスの距離であり、
前記被評価値は、前記受信手段により受信された１組の前記動作時間、前記リレー駆動電圧及び前記測定温度から算出されたマハラノビスの距離であり、
前記判定手段は、
前記被評価値が前記基準値以下であれば、試験対象である前記保護継電器は正常であると判定し、
前記被評価値が前記基準値よりも大きければ、試験対象である前記保護継電器は異常の可能性があると判定することを特徴とする、請求項１に記載の試験システム。
【請求項３】
前記基準値は、正常に動作する保護継電器の試験結果である動作時間及びリレー駆動電圧の一方のサンプルの集合から算出された標準偏差と所定係数との乗算値であり、
前記所定係数は、０．１以上３以下の値であり、
前記被評価値は、前記一方のサンプルの集合から算出された平均値と、前記受信手段により受信された前記動作時間及び前記リレー駆動電圧のうちの一方の値であって、前記標準偏差を算出した前記集合に対応する前記値との差であり、
前記判定手段は、
前記差の絶対値が前記基準値以下であれば、試験対象である前記保護継電器は正常であると判定し、
前記差の絶対値が前記基準値よりも大きければ、試験対象である前記保護継電器は異常の可能性があると判定することを特徴とする、請求項１に記載の試験システム。
【請求項４】
保護継電器試験器と、
前記保護継電器試験器と通信する制御装置と、
試験対象である保護継電器が設置された環境の温度を測定する温度センサと、
前記保護継電器に設けられたＬＥＤを含む領域を撮像する撮像装置と、
前記撮像装置により撮像された画像から前記ＬＥＤの点灯を検出し、点灯情報を生成する点灯情報生成装置とを含み、
前記保護継電器試験器は、
前記制御装置による制御を受けて、前記保護継電器に所定の試験信号を、当該試験信号の値を徐々に増大又は減少させて供給する出力手段と、
前記点灯情報生成装置から、前記試験信号の供給による前記保護継電器の動作に伴い点灯する前記ＬＥＤの前記点灯情報を取得する取得手段と、
前記取得手段により前記点灯情報が取得されたときに、前記出力手段から供給されている前記試験信号の値を、前記保護継電器の動作値として決定する決定手段と、
前記動作値を前記制御装置に送信する通信手段とを有し、
前記制御装置は、
前記動作値、及び、前記温度センサによる測定温度を受信する受信手段と、
前記動作値及び前記測定温度から被評価値を算出し、前記被評価値と所定の基準値とを比較することにより、前記保護継電器の状態を判定する判定手段とを有することを特徴とする、試験システム。
【請求項５】
保護継電器の試験方法であって、
前記保護継電器が設置された環境の測定温度を取得するステップと、
制御装置により保護継電器試験器を制御して、前記保護継電器に所定の試験信号を供給させるステップと、
前記保護継電器試験器により、前記試験信号の供給による前記保護継電器の動作に伴い、前記保護継電器から出力される動作信号を取得するステップと、
前記保護継電器試験器により、前記動作信号から、前記保護継電器の動作時間及びリレー駆動電圧を算出するステップと、
前記制御装置により、前記動作時間、前記リレー駆動電圧及び前記測定温度から被評価値を算出するステップと、
前記制御装置により、前記被評価値と所定の基準値とを比較することにより、前記保護継電器の状態を判定するステップとを含むことを特徴とする、試験方法。
【発明の詳細な説明】
【技術分野】
【０００１】
本発明は、特別高圧又は高圧の現場の電気設備に設置された保護継電器を、客観的に精度よく試験することができる試験システム及び試験方法に関する。
【背景技術】
【０００２】
保護継電器は、電力系統を構成する電力設備において発生した短絡又は地絡事故を、計器用変成器を介して検出し、事故区間を電力系統から速やかに切り離すために、遮断器等に制御信号を出力するための機器である。保護継電器により、短絡又は地絡事故の影響が波及することを抑えることができる。
【０００３】
保護継電器の定期点検は、専用の保護継電器試験器を用いて実施されている。即ち、現場電気設備に設置された保護継電器に保護継電器試験器を接続し、保護継電器試験器から試験電流又は試験電圧を供給して保護継電器を動作させ、保護継電器から出力される信号（以下、動作信号ともいう）を基に、保護継電器の特性を確認している。一般的には、試験員が保護継電器試験器を操作し、保護継電器が管理値の範囲内で動作しているか否か、及び、試験電流（試験電圧）の入力から保護継電器のリレー動作に基づく接点出力までの動作時間が管理値に入っているか否かを、保護継電器試験器に表示される結果（数値）を試験員が目視で確認することにより行なわれている。
【０００４】
保護継電器の試験及び点検に関して、例えば、下記特許文献１は、保護継電器の試験システムにおいて、動作時間及び動作値の管理値を保護継電器自体に格納し、試験手順（試験項目、試験条件）を保護継電器又は試験器の一方に格納しておき、試験器が、試験結果の値を管理値と比較する構成を開示している。
【先行技術文献】
【特許文献】
【０００５】
【特許文献１】特許第3265337号公報
【非特許文献】
【０００６】
【非特許文献１】救仁郷  誠、“マハラノビスの距離入門”、品質工学、2001年9巻、PP.13-21、［平成３０年７月２０日検索］、インターネット＜URL：https://www.jstage.jst.go.jp/article/qes/9/1/9_13/_pdf/-char/ja＞
【発明の概要】
【発明が解決しようとする課題】
【０００７】
しかし、測定対象の保護継電器が管理値を格納していなければ、特許文献１の開示技術による試験を実行することはできない。また、単純に試験結果を管理値と比較して良否判定を行なう方法では、試験結果が管理値範囲内ではあるが、境界付近であった場合でも、「良」と判定され、劣化傾向及び劣化の可能性の有無を判定できない問題がある。例えば、管理値Ａ±５％（Ａは試験に応じた所定値）に対して、試験結果がＡ＋４．８％、Ａ−４．９％であった場合、管理値の境界付近であるため劣化している可能性があるにもかかわらず、それを判断する基準がない。
【０００８】
したがって、本発明は、電気設備に設置された保護継電器を、客観的に精度よく試験することができる試験システム及び試験方法を提供することを目的とする。
【課題を解決するための手段】
【０００９】
本発明の第１の局面に係る試験システムは、保護継電器試験器と、保護継電器試験器と通信する制御装置と、試験対象である保護継電器が設置された環境の温度を測定する温度センサとを含む。保護継電器試験器は、制御装置による制御を受けて、保護継電器に所定の試験信号を供給する出力部と、試験信号の供給による保護継電器の動作に伴い、保護継電器から出力される動作信号を取得する入力部と、動作信号から、保護継電器の動作時間を算出する演算部と、動作時間を制御装置に送信する通信部とを有する。制御装置は、動作時間、温度センサによる測定温度、保護継電器への電源供給により生じるリレー駆動電圧を受信する受信部と、動作時間、リレー駆動電圧及び測定温度から被評価値を算出し、被評価値と所定の基準値とを比較することにより、保護継電器の状態を判定する判定部とを有する。
【００１０】
これにより、試験員は保護継電器試験器を直接操作して個々の試験を行なうことなく、制御装置に対して試験の実行を指示するだけで、自動的に保護継電器の試験を実行し、客観的に良否判定を行なうことができる。
【００１１】
保護継電器への電源供給により生じるリレー駆動電圧は、保護継電器試験器の入力部により取得されてもよい。
【００１２】
好ましくは、基準値は、正常に動作する保護継電器の試験結果である動作時間及びリレー駆動電圧、並びに、当該保護継電器が設置された環境の測定温度を含むサンプルの集合から決定されたマハラノビスの距離であり、被評価値は、受信部により受信された１組の動作時間、リレー駆動電圧及び測定温度から算出されたマハラノビスの距離である。判定部は、被評価値が基準値以下であれば、試験対象である保護継電器は正常であると判定し、被評価値が基準値よりも大きければ、試験対象である保護継電器は異常の可能性があると判定する。
【００１３】
これにより、保護継電器の良否を精度よく判定することができる。
【００１４】
より好ましくは、基準値は、正常に動作する保護継電器の試験結果である動作時間及びリレー駆動電圧の一方のサンプルの集合から算出された標準偏差と所定係数との乗算値であり、所定係数は、０．１以上３以下の値である。被評価値は、一方のサンプルの集合から算出された平均値と、受信部により受信された動作時間及びリレー駆動電圧のうちの一方の値であって、標準偏差を算出した集合に対応する値との差である。判定部は、差の絶対値が基準値以下であれば、試験対象である保護継電器は正常であると判定し、差の絶対値が基準値よりも大きければ、試験対象である保護継電器は異常の可能性があると判定する。
【００１５】
これにより、保護継電器の良否を精度よく判定することができる。
【００１６】
本発明の第２の局面に係る試験システムは、保護継電器試験器と、保護継電器試験器と通信する制御装置と、試験対象である保護継電器が設置された環境の温度を測定する温度センサと、保護継電器に設けられたＬＥＤを含む領域を撮像する撮像装置と、撮像装置により撮像された画像からＬＥＤの点灯を検出し、点灯情報を生成する点灯情報生成装置とを含む。保護継電器試験器は、制御装置による制御を受けて、保護継電器に所定の試験信号を、当該試験信号の値を徐々に増大又は減少させて供給する出力部と、点灯情報生成装置から、試験信号の供給による保護継電器の動作に伴い点灯するＬＥＤの点灯情報を取得する取得部と、取得部により点灯情報が取得されたときに、出力部から供給されている試験信号の値を、保護継電器の動作値として決定する決定部と、動作値を制御装置に送信する通信部とを有する。制御装置は、動作値、及び、温度センサによる測定温度を受信する受信部と、動作値及び測定温度から被評価値を算出し、被評価値と所定の基準値とを比較することにより、保護継電器の状態を判定する判定部とを有する。
【００１７】
これにより、試験員は保護継電器試験器を直接操作して個々の試験を行なうことなく、制御装置に対して試験の実行を指示するだけで、自動的に保護継電器の試験を実行し、客観的に良否判定を行なうことができる。また、保護継電器の動作信号を受信する場合よりも簡便に、保護継電器の良否判定を行なうことができる。
【００１８】
本発明の第３の局面に係る試験方法は、保護継電器の試験方法であって、保護継電器が設置された環境の測定温度を取得するステップと、制御装置により保護継電器試験器を制御して、保護継電器に所定の試験信号を供給させるステップと、保護継電器試験器により、試験信号の供給による保護継電器の動作に伴い、保護継電器から出力される動作信号を取得するステップと、保護継電器試験器により、動作信号から、保護継電器の動作時間及びリレー駆動電圧を算出するステップと、制御装置により、動作時間、リレー駆動電圧及び測定温度から被評価値を算出するステップと、制御装置により、被評価値と所定の基準値とを比較することにより、保護継電器の状態を判定するステップとを含む。
【００１９】
これにより、試験員は保護継電器試験器を直接操作して個々の試験を行なうことなく、制御装置に対して試験の実行を指示するだけで、自動的に保護継電器の試験を実行し、客観的に良否判定を行なうことができる。
【発明の効果】
【００２０】
本発明によれば、試験員は保護継電器試験器を直接操作して個々の試験を行なうことなく、制御装置に対して試験の実行を指示するだけで、自動的に保護継電器の試験を実行し、客観的に良否判定を行なうことができる。したがって、試験員の負担を軽減することができる。
【００２１】
また、被評価値を、正常に動作する保護継電器の試験結果の集合を用いて算出したマハラノビスの距離、又は、正常に動作する保護継電器の試験結果の集合を用いて算出した標準偏差の所定係数倍の値と比較することにより、精度よく保護継電器の良否を判定することができる。また、試験結果が管理値の境界に位置する場合に、保護継電器が劣化傾向にあるにも拘わらず、「良」と判定されることを防止することができる。
【図面の簡単な説明】
【００２２】
【図１】本発明の実施の形態に係る試験システムの構成を示すブロック図である。
【図２】図１の制御装置及び保護継電器試験器の内部構成を示すブロック図である。
【図３】図１の制御装置により実行される保護継電器の試験を示すフローチャートである。
【図４】図３の良否判定処理を示すフローチャートである。
【図５】マハラノビスの距離を示すグラフである。
【図６】図４とは別の良否判定処理を示すフローチャートである。
【図７】第１変形例に係る試験システムの構成を示すブロック図である。
【図８】第２変形例に係る試験システムの構成を示すブロック図である。
【図９】保護継電器の前面を示す模式図である。
【図１０】図８の第３無線モジュールの内部構成を示すブロック図である。
【発明を実施するための形態】
【００２３】
以下の実施の形態では、同一の部品には同一の参照番号を付してある。それらの名称及び機能も同一である。したがって、それらについての詳細な説明は繰返さない。
【００２４】
（試験システムの構成）
図１を参照して、本発明の実施の形態に係る保護継電器の試験システム（以下、単に試験システムともいう）１００は、保護継電器試験器１０２、保護継電器試験器１０２を制御する制御装置１０４、及び温度センサ１０６を含む。保護継電器試験器１０２は、保護継電器を試験するための公知の試験器である。保護継電器試験器１０２の試験対象は、配電盤２００に配置された保護継電器２０２である。制御装置１０４は、保護継電器２０２の試験結果を保護継電器試験器１０２から受信し、保護継電器２０２内部のリレーが動作したときの駆動電圧（以下、内部リレー駆動電圧という）を保護継電器２０２から直接受信する。
【００２５】
温度センサ１０６は、保護継電器２０２が設置された環境の温度を測定するためのセンサである。温度センサ１０６は、例えば、測温抵抗体、熱電対等の公知のセンサ素子を含む。温度センサ１０６の出力結果は、制御装置１０４に入力される。温度センサ１０６の出力（温度）がアナログであれば、制御装置１０４は、Ａ／Ｄ変換してデジタルデータとして記憶する。温度センサ１０６がＡ／Ｄ変換機能を有し、デジタルデータを出力する場合には、制御装置１０４は受信したデータをそのまま記憶する。
【００２６】
なお、図１には、１台の保護継電器２０２を示しているが、配電盤２００に複数の保護継電器が配置されていてもよい。保護継電器試験器１０２は、保護継電器毎に、後述する試験を実行する。
【００２７】
（制御装置）
図２を参照して、制御装置１０４は、ＣＰＵ１１０、記憶部１１２、ＩＦ部１１４、操作部１１６、表示部１１８及びバス１２０を備えている。制御装置１０４は、例えばコンピュータである。ＣＰＵ（Ｃｅｎｔｒａｌ  Ｐｒｏｃｅｓｓｉｎｇ  Ｕｎｉｔ）１１０は、制御装置１０４全体を制御し、後述する保護継電器の試験プログラムを実行する。ＣＰＵ１１０は、マイクロコンピュータ（以下、マイコンという）であってもよい。
【００２８】
記憶部１１２は、データを記憶し、例えば、書換可能な不揮発性半導体メモリである。記憶部１１２には、ＣＰＵ１１０により実行される試験プログラムが記憶されている。また、記憶部１１２は、保護継電器試験器１０２から受信した試験結果のデータを記憶する。制御装置１０４を構成する各部間のデータ交換は、バス１２０を介して行なわれる。
【００２９】
ＩＦ部１１４は、外部とデータを交換するためのインターフェイスである。ＩＦ部１１４は、保護継電器試験器１０２と通信するための機能を有し、例えば、パラレル通信（ＧＰＩＢ等）又はシリアル通信（ＲＳ−２３２Ｃ等）による通信が可能である。また、ＩＦ部１１４は、Ａ／Ｄ変換機能（Ａ／Ｄ変換器）を有しており、温度センサ１０６からアナログ信号が入力される場合には、デジタルデータを生成して、記憶部１１２に記憶する。ＩＦ部１１４は、保護継電器２０２から内部リレー駆動電圧をも受信し、アナログ信号として入力される場合には、デジタルデータを生成して、記憶部１１２に記憶する。
【００３０】
操作部１１６は、使用者により操作され、指示の入力を受付ける。操作部１１６は、例えば、コンピュータ用キーボード、コンピュータ用マウス等である。表示部１１８は、テキスト及び画像等の情報を表示し、例えば、液晶ディスプレイ、ＣＲＴ等である。
【００３１】
（保護継電器試験器）
図２を参照して、保護継電器試験器１０２は、ＣＰＵ１３０、記憶部１３２、ＩＦ部１３４、操作部１３６、表示部１３８、出力部１４０、入力部１４２及びバス１４４を備えている。ＣＰＵ１３０は、保護継電器試験器１０２全体を制御する。ＣＰＵ１３０は、マイコンであってもよい。
【００３２】
記憶部１３２は、データを記憶し、例えば、書換可能な不揮発性半導体メモリである。記憶部１３２には、ＣＰＵ１３０により実行されるプログラムが記憶されている。また、後述するように、記憶部１３２は、保護継電器２０２から受信したデータ（動作信号）を記憶する。保護継電器試験器１０２を構成する各部間のデータ交換は、バス１４４を介して行なわれる。
【００３３】
ＩＦ部１３４は、外部とデータを交換するためのインターフェイスである。ＩＦ部１３４は、制御装置１０４のＩＦ部１１４と通信するための機能を有し、例えば、ＧＰＩＢ又はＲＳ−２３２Ｃ等の通信方式による通信が可能である。
【００３４】
操作部１３６は、使用者により操作され、指示の入力を受付ける。操作部１３６は、例えば、キー（スイッチ、ボタン等）等である。操作部１３６は、タッチパネルであってもよい。
【００３５】
表示部１３８は、保護継電器試験器１０２の状態、及び測定値等の数値を表示する。表示部１３８は、例えば、ＬＥＤ、数値を表示するための７セグメントディスプレイ、液晶ディスプレイ等である。
【００３６】
出力部１４０は、保護継電器２０２に試験信号として、所定の電圧又は電流を供給する電源として機能する。供給される試験信号の強度は、試験項目に応じて、記憶部１３２に記憶されている情報を参照して決定される。
【００３７】
入力部１４２は、保護継電器２０２に供給される試験信号に応じて保護継電器２０２が動作すること（例えば、リレーのオン）により保護継電器２０２から出力される動作信号（接点出力）を測定する。具体的には、入力部１４２は、連続して入力されるアナログ信号を、所定周期でサンプリングしてデジタルデータに変換し、測定データとしてバス１４４を介して記憶部１３２に伝送し記憶させる。
【００３８】
（試験方法）
図３を参照して、試験システム１００による保護継電器の試験動作に関して説明する。図３の処理は制御装置１０４のＣＰＵ１１０により実行される。即ち、試験員により、操作部１１６を介して保護継電器の試験が指示されたことを受けて、ＣＰＵ１１０が記憶部１１２から試験プログラムを読出して実行する。
【００３９】
試験プログラムは、過電流要素（一般的には制御器具番号等にしたがって、５１要素、ＯＣ要素等と呼ばれる）等の保護継電器要素を試験項目として、複数の試験項目のそれぞれについて、保護継電器試験器１０２に順次試験を実行させるためのものである。試験プログラムは、保護継電器試験器１０２に対応したコマンドを含んで作成されている。現在、一般的な保護継電器試験器には外部制御ポート（外部から保護継電器試験器を制御するためのポート）が設けられており、制御コマンドが提供されている。ここでは、試験プログラムは、試験項目毎の情報（以下「試験情報」ともいう）として、制御コマンドとそのパラメータ（出力部１４０から供給する試験信号の強度等）とを含んでいるとする。
【００４０】
ステップ３００において、ＣＰＵ１１０は、温度センサ１０６からの出力信号を取得し、温度データとして記憶部１１２に記憶する。
【００４１】
ステップ３０２において、ＣＰＵ１１０は、１つの試験項目（保護継電器要素）を特定する。具体的には、ＣＰＵ１１０は、試験プログラムに含まれる、複数の試験情報のうち、未試験の試験情報を１つ選択する。これにより、制御コマンド及びそのパラメータが特定される。
【００４２】
ステップ３０４において、ＣＰＵ１１０は、ステップ３０２で特定された試験情報（制御コマンド及びそのパラメータ）を、ＩＦ部１１４を介して保護継電器試験器１０２に送信する。保護継電器試験器１０２のＣＰＵ１３０は、ＩＦ部１３４を介して試験情報を受信し、受信した試験情報にしたがって試験を行なう。
【００４３】
具体的には、保護継電器試験器１０２のＣＰＵ１３０は、受信した制御コマンド及びパラメータに基づいて、試験信号の種類（電圧又は電流）及び信号強度を決定し、出力部１４０を介して、決定された試験信号を保護継電器２０２に供給する。その後、ＣＰＵ１３０は、試験信号を供給された保護継電器２０２が動作を行なった結果（リレーのオン／オフ）生じる動作信号を、入力部１４２を介して受信する。所定の時間受信された動作信号は、上記したようにデジタルデータとして、記憶部１３２に記憶される。さらに、ＣＰＵ１３０は、記憶部１３２から記憶された動作信号を読出して、試験結果を算出し、制御装置１０４に送信する。例えば、ＣＰＵ１３０は、保護継電器２０２内部のリレーをオンさせる試験信号を保護継電器２０２に供給して動作信号を測定及び記憶し、記憶したデータ（動作信号）から動作時間（試験信号を供給してからリレーがオンするまでの時間）を算出する。なお、リレー駆動電圧に関しては、保護継電器試験器１０２を介さずに、ＣＰＵ１１０が、保護継電器２０２内部のリレーが動作したときの駆動電圧である内部リレー駆動電圧を、ＩＦ部１１４を介して測定し、後述するように、リレー駆動電圧として決定し、記憶部１１２に記憶する。
【００４４】
ステップ３０６において、ＣＰＵ１１０は、ステップ３０２で特定された試験項目の試験が終了したか否かを判定する。具体的には、ＣＰＵ１１０は、ＩＦ部１１４を介して保護継電器試験器１０２から試験結果を受信したか否か、又は、保護継電器２０２の内部リレー駆動電圧を測定したか否かを判定する。終了したと判定された場合、制御はステップ３１０に移行する。そうでなければ、制御はステップ３０８に移行する。
【００４５】
ステップ３０８において、ＣＰＵ１１０は、ステップ３０４で試験情報を送信してから所定時間が経過したか否かを判定する。経過したと判定された場合、制御はステップ３１４に移行する。そうでなければ、制御はステップ３０６に戻る。これにより、ＣＰＵ１１０は、所定時間が経過するまで、保護継電器試験器１０２から送信される試験結果を待受ける、又は、保護継電器２０２の内部リレー駆動電圧の測定を繰返す。所定時間の経過は、例えば、ステップ３０４で試験情報を送信した時の時刻を内部のタイマから取得し、基準時刻として記憶部１１２に記憶しておき、ステップ３０８を実行する度に、タイマから現在時刻を取得して、基準時刻と比較することにより行なうことができる。
【００４６】
ステップ３１０において、ＣＰＵ１１０は、ステップ３０６で保護継電器試験器１０２から受信した試験結果、又は、ステップ３０６で測定した保護継電器２０２の内部リレー駆動電圧（リレー駆動電圧）を記憶部１１２に記憶する。
【００４７】
ステップ３１２において、ＣＰＵ１１０は、試験を完了したか否か、即ち試験項目を全て実行したか否かを判定する。完了したと判定された場合、制御はステップ３１６に移行する。そうでなければ、制御はステップ３０２に戻り、未試験の試験項目が特定されて、上記のように試験が実行される。これにより、各試験項目に対する試験結果が記憶部１１２に記憶される。
【００４８】
一方、試験項目の試験が終了する前に、ステップ３０８において、所定時間が経過したと判定された場合、ステップ３１４において、ＣＰＵ１１０は、エラー処理を実行する。例えば、ＣＰＵ１１０は、表示部１１８にエラーが発生したことを表示する。その後、本プログラムは終了する。これにより、試験員は、再試験を実施する、又はエラーに応じた対応を行なうことができる。
【００４９】
ステップ３１６において、ＣＰＵ１１０は、記憶部１１２に記憶された試験結果（リレー駆動電圧を含む）及び温度データを用いて良否判定処理を実行する。具体的には、ＣＰＵ１１０は、図４に示した処理を実行する。
【００５０】
ステップ４００において、ＣＰＵ１１０は、正常な保護継電器に関する測定サンプルの集合から計算される正常時のマハラノビスの距離Ｄ０を記憶部１１２から読出す。マハラノビスの距離は、多変量（多次元）空間における距離尺度のひとつであり公知である（例えば非特許文献１参照）。
【００５１】
例えば、正規化された２つのパラメータＸ及びＹの相関係数をｒとすると、マハラノビスの距離Ｄは、式１により求められる。
Ｄ２＝（Ｘ２−２ｒＸＹ＋Ｙ２）／｛ｋ（１−ｒ２）｝・・・（式１）
ここで、ｋ＝２（パラメータの数）である。正規化された値は、平均値との差を、標準偏差で除して算出する。例えば、測定データｘｉの正規化値Ｘｉは、平均値μｘ及び標準偏差σｘを用いて、Ｘｉ＝（ｘｉ−μｘ）／σｘ  により算出される。
【００５２】
図５に、測定データとマハラノビスの距離との関係を模式的に示す。図５において、四角の点は２つのパラメータの測定値（正規化値）をプロットしたものであり、楕円２２０、２２２及び２２４のそれぞれは、マハラノビスの距離の値が一定（以下「等マハラノビスの距離」ともいう）となる点の集合を表す。例えば、楕円２２０上の点に関してＤ＝２．０であれば、楕円２２２上の点ではＤ＝１．５、楕円２２４上の点ではＤ＝１．０というように、楕円の大きさが小さくなるほど、等マハラノビスの距離の値は小さくなる。
【００５３】
ここでは、正常な保護継電器に関して試験結果のデータを収集し、そのデータ（測定サンプルの集合）を用いて、上記したようにマハラノビスの距離を算出し、得られた複数のマハラノビスの距離から正常時のマハラノビスの距離Ｄ０を決定し、記憶部１１２に記憶しておく。例えば、過去の社内試験デー夕及び現場での試験データ等、同一の設定条件（試験条件）における同一の保護継電器要素（例えば５１要素等であり、保護継電器の形式が異なっているものをも含む）の全ての合格データ、及び、各合格データの測定時に測定した保護継電器の周囲温度のデータで構成される集合（各データは正規化値）を生成する。複数のパラメータ（保護継電器要素）Ｐｉ（ｉはｉ＝１〜ｎの整数。ｎはパラメータの数）を決定し、集合中のデータのうち、決定されたパラメータＰｉ（ｉ＝１〜ｎ）に該当し、相互に対応するデータｐｉｊの組｛ｐ１ｊ，ｐ２ｊ，・・・，ｐｎｊ｝（ｊは組を表し、ｊ＝１〜ｍの整数。ｍは各パラメータの測定データの数）のそれぞれに関してマハラノビスの距離を算出する。そして、マハラノビスの距離の算出に用いた全データ｛ｐ１ｊ，ｐ２ｊ，・・・，ｐｎｊ｝（ｊ＝１〜ｍ）を内包する等マハラノビスの距離の閉曲面（２次元の場合楕円）を決定し、その閉曲面を表すマハラノビスの距離を、正常時のマハラノビスの距離Ｄ０とする。即ち、マハラノビスの距離の算出に用いた全データは、マハラノビスの距離がＤ０である閉曲面で囲まれた空間内に位置する。例えば、算出したマハラノビスの距離の最大値を、正常時のマハラノビスの距離Ｄ０とすることができる。
【００５４】
例えば、動作時間及びリレー駆動電圧を２つのパラメータとして決定し、温度を３つ目のパラメータとして決定し、全ての合格データの中からこれら３つのパラメータのデータの組に対応する点を３次元空間にプロットした場合に、それらの点を内包する等マハラノビスの距離の曲面を表すマハラノビスの距離の値を、正常時のマハラノビスの距離Ｄ０とする。なお、マハラノビスの距離の算出に使用した全データを内包する等マハラノビスの距離の曲面に限らず、全データの所定割合（例えば、９０％、８０％等）を含む等マハラノビスの距離の曲面を表すマハラノビスの距離の値を、正常時のマハラノビスの距離Ｄ０としてもよい。
【００５５】
ステップ４０２において、ＣＰＵ１１０は、ステップ３１０で記憶部１１２に記憶した試験結果のデータを読出す。
【００５６】
ステップ４０４において、ＣＰＵ１１０は、ステップ４０２で読出した試験結果のデータを用いて、マハラノビスの距離Ｄ１を算出する。具体的には、ＣＰＵ１１０は、上記した正常時のマハラノビスの距離の算出に使用したパラメータに対応する試験結果のデータを用いて、マハラノビスの距離を算出する。例えば、正常時のマハラノビスの距離が２つのパラメータに関して求められていれば、上記の式１によりマハラノビスの距離を算出する。図５には、測定結果２３０と、それに対応するマハラノビスの距離Ｄ１を示す。
【００５７】
ステップ４０６において、ＣＰＵ１１０は、ステップ４０４で算出したマハラノビスの距離Ｄ１が、ステップ４００で読出した正常時のマハラノビスの距離Ｄ０以下であるか否かを判定する。Ｄ１≦Ｄ０であると判定された場合、制御はステップ４０８に移行する。そうでなければ（Ｄ１＞Ｄ０）、制御はステップ４１０に移行する。
【００５８】
ステップ４０８において、ＣＰＵ１１０は、試験対象である保護継電器２０２は、正常（良好な状態）であると決定し、その決定を特定する情報を記憶部１１２に記憶する。例えば、ＣＰＵ１１０は、記憶部１１２に“０”を記憶する。
【００５９】
ステップ４１０において、ＣＰＵ１１０は、試験対象である保護継電器２０２は、異常（不良な状態）である可能性があると決定し、その決定を特定する情報を記憶部１１２に記憶する。例えば、ＣＰＵ１１０は、記憶部１１２に“１”を記憶する。
【００６０】
以上により、保護継電器２０２の試験結果から、保護継電器２０２の状態が判定され、判定結果を表す情報が記憶部１１２に記憶される。その後、制御は図３のステップ３１８に移行する。
【００６１】
ステップ３１８において、ＣＰＵ１１０は、ステップ４０８又は４１０により記憶部１１２に記憶されたデータを読出し、それに対応するメッセージを表示部１１８に表示する。読出したデータが“０”であれば、ＣＰＵ１１０は、例えば「判定結果：問題無し」と表示する。一方、読出したデータが“１”であれば、ＣＰＵ１１０は、例えば「故障（劣化）傾向があるので交換を推奨する」と表示し、劣化傾向のアナウンスをする。
【００６２】
以上により、試験員は試験システム１００において、保護継電器試験器１０２を直接操作して保護継電器２０２に対する個々の試験を行なうことなく、制御装置１０４に対して試験の実行を指示するだけで、保護継電器２０２の試験が実行され、良否判定の結果が表示部１１８に表示される。したがって、試験員の負担を軽減することができ、試験員は、客観的に、速やかに且つ精度よく、保護継電器２０２の良否を判定することができる。
【００６３】
また、試験員に、保護継電器の劣化傾向を提示することができる。したがって、従来、試験結果が管理値の境界に位置する場合に、保護継電器が劣化傾向にあるにも拘わらず、「良」と判定されていたことを防止することができる。
【００６４】
保護継電器のリレー駆動用電圧の変動は、リレー接点出力の動作時間変化に影響する。この電圧変動は、保護継電器を構成する電子回路の劣化により発生する場合が考えられる。また、周囲温度の変化も保護継電器を構成する電子回路の劣化に影響するため、リレー接点出力の動作時間変動に影響することが考えられる。したがって、上記のように、リレー駆動電圧、及び保護継電器の周囲温度をパラメータとして使用することが好ましい。
【００６５】
一般的には、「電圧−動作時間」特性、「温度−動作時間」特性から求めた特性曲線により動作時間を補正する方法が考えられるが、正常な保護継電器に関しては変化量が微小であることに加え、事前にそのような特性データを取得することは煩雑である。これに対して、リレー駆動電圧及び周囲温度をパラメータとして、上記のようにマハラノビスの距離を算出し、評価の基準とすることにより、保護継電器の良否（劣化傾向）を容易に判断できる。
【００６６】
上記では、１つの正常時のマハラノビスの距離Ｄ０との大小比較だけで、保護継電器の良否を判定する場合を説明したが、これに限定されない。例えば、合格データをそのレベルに応じて分類し、各分類の合格データを用いて、正常時のマハラノビスの距離を複数求めておけば、試験結果から求めたマハラノビスの距離Ｄ１を、複数の正常時のマハラノビスの距離と比較することにより、保護継電器がどの程度良好であるかを判定することができる。
【００６７】
また、図３の良否判定処理（ステップ３１６）は、図４に示したマハラノビスの距離を使用するものでなくてもよい。ＣＰＵ１１０は良否判定処理として、例えば図６に示す処理を実行してもよい。
【００６８】
図６のフローチャートは、図４のフローチャートにおいて、ステップ４００、４０４及び４０６をそれぞれステップ４２０、４２２及び４２４で代替したものである。図６において、図４と同じ番号を付したステップにおける処理は、図４と同じである。以下では、重複説明を繰返さず、主として図４と異なるステップについて説明する。
【００６９】
ステップ４２０において、ＣＰＵ１１０は、判定の基準値として平均値μ及び標準偏差σを記憶部１１２から読出す。平均値μ及び標準偏差σは、例えば、上記した正常時のマハラノビスの距離の算出に使用した全ての合格データを用いて、保護継電器要素毎に算出されたものである。全ての合格データのうち、例えば動作時間を用いて、予め公知の方法で平均値μ及び標準偏差σを算出し、記憶部１１２に記憶しておく。他の保護継電器要素、例えばリレー駆動電圧等に関しても同様に、予め平均値μ及び標準偏差σを算出し、記憶部１１２に記憶しておく。
【００７０】
その後、ＣＰＵ１１０は、図３のステップ３１０で記憶部１１２に記憶した試験結果のデータｄを読出し（ステップ４０２）、ステップ４２０において、ＣＰＵ１１０は、試験結果のデータｄに対応する保護継電器要素の平均値μを用いて、試験結果のデータｄに関して平均値μからの差（以下、偏差という）Δを算出する（Δ＝ｄ−μ）。
【００７１】
ステップ４２４において、ＣＰＵ１１０は、ステップ４２２で算出した偏差Δの絶対値が、試験結果のデータｄに対応する保護継電器要素の標準偏差σのａ倍の値（ａ・σ）以下か否かを判定する。｜Δ｜≦ａ・σであると判定された場合、制御はステップ４０８に移行する。そうでなければ（｜Δ｜＞ａ・σ）、制御はステップ４１０に移行する。係数ａの値は、例えば０．５であり、予め記憶部１１２に記憶されていればよい。
【００７２】
その後、ステップ４０８又は４１０が実行されることにより、正常（良好な状態）又は異常（不良な状態）をそれぞれ表すデータ“０”又は“１”が記憶部１１２に記憶される。したがって、試験結果のデータｄが、平均値μ及び標準偏差σの正規分布において、μ±０．５σの範囲（全集計データの約３８％が含まれる範囲）に入っていれば「判定：問題無し」を表示部１１８に表示し、μ±０．５σの範囲を外れた場合には、「故障（劣化）傾向があるので交換を推奨する」等のアナウンスを表示部１１８に表示することができる。
【００７３】
これにより、試験結果が管理値の境界に位置する場合に、保護継電器が劣化傾向にあるにも拘わらず、「良」と判定されることを防止することができる。
【００７４】
なお、係数ａの値は０．５に限定されない。どの程度の危険率を見込むかに応じて、例えば、ａ＝１（μ±σの範囲に全集計データの約６８％が含まれる）であっても、ａ＝２（μ±２σの範囲に全集計データの約９５％が含まれる）であっても、ａ＝３（μ±３σの範囲に全集計データの約９９．７％が含まれる）であってもよい。係数ａは、０．１≦ａ≦３の範囲であればよい。
【００７５】
試験対象である保護継電器の種類に応じて、係数ａの値を変更することも好ましい。例えば、試験対象の保護継電器がデジタル型保護継電器である場合には、デジタル型は特性のバラつきが小さいことを考えて、係数ａの値にはより小さい値を使用することが好ましい。
【００７６】
また、図３の良否判定処理（ステップ３１６）は、図４及び図６に示したものでなくてもよい。例えば、従来、管理値がＡ±５％（Ａは、保護継電器要素に応じた数値）とされている場合に、より厳しい範囲（より安全な範囲）として、例えばＡ±３％を設定してもよい。その場合、試験結果の値が、Ａ±３％の範囲に入っているか否かを判定することにより、良否判定が行なわれる。Ａ±３％の範囲に入っていれば正常と判定し、例えば「判定：問題無し」とのアナウンスを表示部１１８に表示する。Ａ±３％の範囲に入っていなければ異常の可能性があると判定し、例えば「故障（劣化）傾向があるので交換を推奨する」というアナウンスを表示部１１８に表示する。
【００７７】
複数の保護継電器要素（例えば、動作時間及びリレー駆動電圧）の試験結果を使用する場合には、例えば、全ての試験結果が、従来よりも厳しく設定された範囲に入っているか否かにより判定すればよい。全ての試験結果が、設定された範囲に入っている場合にのみ、正常と判定し、少なくとも１つの試験結果が、設定された範囲に入っていなければ、異常の可能性があると判定する。
【００７８】
このように、従来の管理値よりも厳しい範囲を用いて良否を判定することにより、試験結果が従来の管理値の境界に位置する場合に、劣化傾向にあるにも拘わらず、「良」と判定されることを防止することができる。
【００７９】
（第１変形例）
図１及び図２に示した構成では、保護継電器試験器１０２が、保護継電器２０２からの動作信号を有線で取得する場合を説明したがこれに限定されない。保護継電器試験器１０２は、保護継電器２０２からの動作信号を、無線通信機能を有する装置（以下、無線モジュールともいう）を介して取得してもよい。
【００８０】
図７を参照して、第１変形例に係る試験システム１５０は、保護継電器試験器１０２、制御装置１０４、温度センサ１０６、第１無線モジュール１５２及び第２無線モジュール１５４を含む。図７の構成は、図１に示した構成に、第１無線モジュール１５２及び第２無線モジュール１５４が追加されたものである。保護継電器試験器１０２、制御装置１０４及び温度センサ１０６は、図１及び図２を参照して上記した機能を有する。なお、本変形例では、制御装置１０４は、上記した機能に加えて無線通信機能を有する。
【００８１】
本変形例では、試験信号を供給された保護継電器２０２が動作を行なった結果（リレーのオン／オフ）生じる動作信号は、直接保護継電器試験器１０２には入力されず、第１無線モジュール１５２に入力される。第１無線モジュール１５２は、第２無線モジュール１５４と無線通信する機能、及び、入力信号をＡ／Ｄ変換する機能を有する。即ち、第１無線モジュール１５２は、入力されるアナログの動作信号を、Ａ／Ｄ変換してデジタルデータに変換し、変換後のデータを無線通信により第２無線モジュール１５４に送信する。なお、保護継電器２０２の内部リレー駆動電圧（リレー駆動電圧）は、図１及び図２に示した構成と同様に、制御装置１０４により直接測定される。
【００８２】
第２無線モジュール１５４は、制御装置１０４及び第１無線モジュール１５２と無線通信する機能、並びに、保護継電器試験器１０２と、ＧＰＩＢ又はＲＳ−２３２Ｃ等により有線通信する機能を有する。第２無線モジュール１５４は、第１無線モジュール１５２から送信されたデータ（動作信号）を受信し、受信したデータを有線で保護継電器試験器１０２に伝送する。
【００８３】
以下、試験システム１５０による保護継電器の試験に関して説明する。上記したように、試験システム１５０を構成する制御装置１０４は、図３に示した処理を実行する。即ち、制御装置１０４は、温度センサ１０６から温度データを取得して記憶した後、試験情報（制御コマンド及びそのパラメータ）を保護継電器試験器１０２に送信する。このとき、試験情報は、第２無線モジュール１５４を介して保護継電器試験器１０２に送信される。
【００８４】
保護継電器試験器１０２は、受信した試験情報にしたがって試験信号を生成して、保護継電器２０２に供給する。試験信号を供給された保護継電器２０２から出力される動作信号は、上記したように、第１無線モジュール１５２に入力され、第１無線モジュール１５２によりＡ／Ｄ変換されて、無線通信により第２無線モジュール１５４に送信される。第２無線モジュール１５４は、第１無線モジュール１５２から受信したデータ（動作信号）を保護継電器試験器１０２に有線通信により伝送する。一方、リレー駆動電圧に関しては、上記したように制御装置１０４が直接測定する。
【００８５】
保護継電器試験器１０２は、所定時間、第２無線モジュール１５４からデータ（動作信号）を受信して記憶する。保護継電器試験器１０２のＣＰＵ１３０（図２参照）は、記憶部１３２に記憶された動作信号を読出して、試験結果を算出し、試験結果を制御装置１０４に送信する。このとき、保護継電器試験器１０２から制御装置１０４への試験結果の送信は、第２無線モジュール１５４を介して行なわれる。
【００８６】
制御装置１０４は、保護継電器試験器１０２から試験結果を受信し、リレー駆動電圧を測定すると、良否判定処理を実行し（図４及び図６を参照）、その結果を提示する。
【００８７】
以上により、図１及び図２に示した試験システム１００と同様に、試験員は試験システム１５０において、保護継電器試験器１０２を直接操作して保護継電器２０２に対する個々の試験を行なうことなく、制御装置１０４に対して試験の実行を指示するだけで、保護継電器２０２の試験が実行され、良否判定の結果が提示される。したがって、試験員の負担を軽減することができ、試験員は、客観的に、速やかに且つ精度よく、保護継電器２０２の良否を判定することができる。
【００８８】
（第２変形例）
また、図７に示した構成は、例えば、図８に示すように変更されてもよい。図８の構成では、保護継電器２０２の前面に配置されたＬＥＤの点灯情報を保護継電器試験器１０２に送信する。
【００８９】
図８を参照して、第２変形例に係る試験システム１６０は、保護継電器試験器１０２、制御装置１０４、温度センサ１０６、第２無線モジュール１５４、撮像装置１６２及び第３無線モジュール１６４を含む。図８の構成は、図７に示した構成に、撮像装置１６２が追加され、第１無線モジュール１５２が第３無線モジュール１６４で代替されたものである。保護継電器試験器１０２及び温度センサ１０６は、図１及び図２を参照して上記した機能を有し、制御装置１０４は、上記した機能に加えて無線通信機能を有する。
【００９０】
保護継電器２０２の前面には、図９に示すように、ＬＥＤ配置領域２１２に複数のＬＥＤが配置されている。保護継電器２０２の動作状態は、各ＬＥＤの点灯により表示される。図９において「Ａ」、「Ｂ」及び「Ｃ」は、３系統のリレーを表し、各系統に関して「５１Ｈ」及び「５１Ｌ」はそれぞれ、過電流保護用の高圧側及び低圧側のリレーを表す。試験信号が入力されると、試験信号に応じて、保護継電器２０２内部のリレーの状態に応じてＬＥＤが点灯される。例えば、保護継電器２０２内部のリレーをオンさせる試験信号を、その値を徐々に変化（増大又は減少）させて保護継電器２０２に供給すると、所定の試験信号値に到達したときに、該当するＬＥＤが点灯する。このＬＥＤが点灯したときの試験信号値を保護継電器２０２の動作値の点検結果として記憶する。
【００９１】
撮像装置１６２は、保護継電器２０２の前面のＬＥＤを含む領域（例えば図９の撮像領域２１０）を撮像対象として、所定の時間間隔（フレームレート）で撮像する。撮像装置１６２は、撮像した画像を第３無線モジュール１６４に入力する。撮像装置１６２は、例えば、デジタルカメラであり、撮像した画像を、所定のデジタルビデオ信号（例えば、ＨＤＭＩ(登録商標)、ＤＶＩ等の形式）として出力する。撮像装置１６２は、アナログ信号を出力するものであってもよい。
【００９２】
第３無線モジュール１６４は、図１０を参照して、ＣＰＵ１７０、記憶部１７２、ＩＦ部１７６、無線通信部１７８及びバス１８０を含む。ＣＰＵ１７０は、第３無線モジュール１６４全体を制御する。記憶部１７２は、データを記憶し、例えば、書換可能な不揮発性半導体メモリである。記憶部１７２には、ＣＰＵ１７０により実行される各部を制御するためのプログラムが記憶されている。記憶部１７２は、撮像装置１６２から受信した画像データを記憶する。また、記憶部１７２は、後述するように、撮像装置１６２から受信した画像データと比較される複数の画像データをデータベース１７４として記憶している。各部間のデータ交換は、バス１８０を介して行なわれる。
【００９３】
ＩＦ部１７６は、撮像装置１６２とのインターフェイスであり、撮像装置１６２から入力されるビデオ信号を取込んで記憶部１７２に記憶する。ＩＦ部１７６は、入力信号がデジタルデータであればそのまま記憶部１７２に記憶し、入力信号がアナログ信号であれば、Ａ／Ｄ変換器によりデジタルデータに変換して記憶部１７２に記憶する。無線通信部１７８は、第２無線モジュール１５４と無線通信する機能を有している。
【００９４】
第２無線モジュール１５４は、制御装置１０４及び第３無線モジュール１６４と無線通信する機能、並びに、保護継電器試験器１０２と、ＧＰＩＢ又はＲＳ−２３２Ｃ等により有線通信する機能を有する。第２無線モジュール１５４は、第３無線モジュール１６４から送信されたデータを受信し、受信したデータを有線で保護継電器試験器１０２に伝送する。
【００９５】
以下、試験システム１６０による保護継電器の試験に関して説明する。上記したように、試験システム１６０を構成する制御装置１０４は、図３に示した処理を実行する。即ち、制御装置１０４は、温度センサ１０６から温度データを取得して記憶した後、試験情報（制御コマンド及びそのパラメータ）を保護継電器試験器１０２に送信する。このとき、試験情報は、第２無線モジュール１５４を介して保護継電器試験器１０２に送信される。
【００９６】
保護継電器試験器１０２は、受信した試験情報にしたがって試験信号を、その値を徐々に変化（増大又は減少）させながら保護継電器２０２に供給する。試験信号を供給された保護継電器２０２が動作を行なった結果は、上記したように保護継電器２０２の前面のＬＥＤにより示される。撮像装置１６２は、上記したように、所定の時間間隔でＬＥＤを含む所定領域を撮像し、撮像した画像データを出力する。撮像装置１６２の出力（画像データ）は第３無線モジュール１６４に入力される。
【００９７】
図１０を参照して、第３無線モジュール１６４に入力された画像は、時系列に記憶部１７２に記憶される。ＣＰＵ１７０は、記憶部１７２に時系列に記憶された各画像を、データベース１７４に予め記憶されている画像と比較して、点灯したＬＥＤを特定し、特定されたＬＥＤを表す情報（以下、点灯情報ともいう）を記憶部１７２に記憶する。例えば、予めデータベース１７４に、保護継電器２０２に関して、撮像装置１６２の撮像領域と同じ領域を撮像した、ＬＥＤの点灯パターンの画像が記憶されていれば、ＣＰＵ１７０は、撮像装置１６２から受信した各画像データを記憶部１７２から読出して、点灯パターンの画像との類似度を評価することにより、点灯しているＬＥＤを特定することができる。画像の類似度の判定は、公知の画像処理により実現することができる。ＣＰＵ１７０は、特定されたＬＥＤを表す点灯情報を、記憶部１７２から読出して、無線通信部１７８を介して第２無線モジュール１５４に送信する。
【００９８】
第２無線モジュール１５４は、第３無線モジュール１６４から受信した点灯情報を保護継電器試験器１０２に有線通信により伝送する。保護継電器試験器１０２は、第２無線モジュール１５４から点灯情報を受信すると、試験信号の変化（増大又は減少）を停止し、停止したときの試験信号値を動作値として決定し、記憶部１３２に記憶する。保護継電器試験器１０２のＣＰＵ１３０（図２参照）は、記憶部１３２に記憶された動作値を読出して、第２無線モジュール１５４を介して、制御装置１０４に送信する。
【００９９】
制御装置１０４は、試験結果（動作値）を受信すると、良否判定処理を実行し（図４及び図６を参照）、その結果を提示する。
【０１００】
以上により、図１及び図２に示した試験システム１００と同様に、試験員は試験システム１６０において、保護継電器試験器１０２を直接操作して保護継電器２０２に対する個々の試験を行なうことなく、制御装置１０４に対して試験の実行を指示するだけで、保護継電器２０２の試験が実行され、良否判定の結果が提示される。したがって、試験員の負担を軽減することができ、試験員は、客観的に、速やかに且つ精度よく、保護継電器２０２の良否を判定することができる。また、保護継電器前面のＬＥＤの点灯情報として試験結果を取得するので、保護継電器の動作信号を受信する場合よりも簡便に試験を行なうことができる。
【０１０１】
上記の第１変形例及び第２変形例では、温度センサ１０６の出力信号（温度データ）を制御装置１０４に有線で伝送する場合を説明したが、温度センサ１０６の出力信号を無線通信により制御装置１０４に送信してもよい。例えば、第１変形例（図７参照）において、温度センサ１０６の出力信号を第１無線モジュール１５２に入力してＡ／Ｄ変換した後、第１無線モジュール１５２から制御装置１０４に、第２無線モジュール１５４を介して、又は直接に無線送信してもよい。同様に、第２変形例（図８参照）において、温度センサ１０６の出力信号を第３無線モジュール１６４に入力してＡ／Ｄ変換した後、第３無線モジュール１６４から制御装置１０４に、第２無線モジュール１５４を介して、又は直接に無線送信してもよい。また、第１無線モジュール１５２及び第３無線モジュール１６４とは別の無線モジュールを設けて、温度センサ１０６の出力信号を制御装置１０４に無線送信してもよい。
【０１０２】
第１及び第２変形例では、保護継電器試験器１０２及び制御装置１０４とは別に第２無線モジュール１５４を設ける場合を説明したがこれに限定されない。例えば、保護継電器試験器１０２が、第１無線モジュール１５２又は第３無線モジュール１６４との無線通信機能を有していてもよい。また、制御装置１０４が、第１無線モジュール１５２又は第３無線モジュール１６４と無線通信し、保護継電器２０２の情報（動作信号、ＬＥＤの点灯情報）を受信して、保護継電器試験器１０２に有線通信で伝送してもよい。
【０１０３】
上記では、保護継電器２０２の内部リレー駆動電圧（リレー駆動電圧）を制御装置１０４が直接測定する場合を説明したが、これに限定されない。図２に示した構成において、保護継電器２０２の内部リレー駆動電圧は、保護継電器試験器１０２の入力部１４２に入力され、ＩＦ部１３４を介して制御装置１０４に送信されてもよい。また、図７に示した構成において、保護継電器２０２の内部リレー駆動電圧は、第１無線モジュール１５２に入力され、第２無線モジュール１５４を介して制御装置１０４に送信されてもよい。
【０１０４】
以上、実施の形態を説明することにより本発明を説明したが、上記した実施の形態は例示であって、本発明は上記した実施の形態のみに制限されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【０１０５】
１００、１５０、１６０    試験システム
１０２    保護継電器試験器
１０４    制御装置
１０６    温度センサ
１１０、１３０、１７０    ＣＰＵ
１１２、１３２、１７２    記憶部
１１４、１３４、１７６    ＩＦ部
１１６、１３６    操作部
１１８、１３８    表示部
１２０、１４４、１８０    バス
１４０    出力部
１４２    入力部
１５２    第１無線モジュール
１５４    第２無線モジュール
１６２    撮像装置
１６４    第３無線モジュール
１７４    データベース
１７８    無線通信部
２００    配電盤
２０２    保護継電器
２１０    撮像領域
２１２    ＬＥＤ配置領域
２２０、２２２、２２４    楕円
２３０    測定結果
【図１】
2020051901.tif 000003
【図２】
2020051901.tif 000004
【図３】
2020051901.tif 000005
【図４】
2020051901.tif 000006
【図５】
2020051901.tif 000007
【図６】
2020051901.tif 000008
【図７】
2020051901.tif 000009
【図８】
2020051901.tif 000010
【図９】
2020051901.tif 000011
【図１０】
2020051901.tif 000012